(57)【要約】【課題】  本考案の課題は、重量物を入れても底抜けをしない堅牢性を有し、しかも水濡れにも強い宅配袋を提供することにある。【解決手段】  本考案のヘッター付きプラスチック宅配袋は、プラスチック張り合わせフィルムを折り畳み、熱溶着により背貼シールと底シールを設けて形成された袋本体、およびプラスチック製ラミネート紙で形成され、前記袋本体の頂部に下方部分で貼着され、袋本体から突出した上方部分の片面に超強力粘着材層が施され、この超強力粘着材の上に剥離紙が貼着されたヘッターシールを備えていることを特徴とする。【選択図】      図１
0003105735.tif 000002
【実用新案登録請求の範囲】
【請求項１】
プラスチック張り合わせフィルムを折り畳み、熱溶着により背貼シールと底シールを設けて形成された袋本体、およびプラスチック製ラミネート紙で形成され、前記袋本体の頂部に下方部分で貼着され、袋本体から突出した上方部分の片面に超強力粘着材層が施され、この超強力粘着材の上に剥離紙が貼着されたヘッターシールを備えていることを特徴とするヘッター付きプラスチック宅配袋。
【請求項２】
４角柱シールタイプのものである請求項１のヘッター付きプラスチック宅配袋。
【請求項３】
センターシールタイプのものである請求項１のヘッター付きプラスチック宅配袋。
【請求項４】
両側部にマチを有する請求項１〜３のいずれかのヘッター付きプラスチック宅配袋。
【請求項５】
前記袋本体の上部に横方向に延び、袋本体を密閉するジッパーを備えた請求項１〜４のいずれかのヘッター付きプラスチック宅配袋。
【請求項６】
前記袋本体の下部に舟底シールが設けられた請求項１〜５のヘッター付きプラスチック宅配袋。
【考案の詳細な説明】
【技術分野】
【０００１】
本考案は、宅配袋に関し、さらに詳細には、郵便や宅配便で使用される宅配袋に関する。
【背景技術】
【０００２】
従来、上記したような宅配袋は、紙製のものがほとんどで、重量物をいれると底抜けをしたり、水に濡れると容易に破れてしまう等の問題点があった。
【考案の開示】
【考案が解決しようとする課題】
【０００３】
そこで、本考案の課題は、重量物を入れても底抜けをしない堅牢性を有し、しかも水濡れにも強い宅配袋を提供することにある。
【課題を解決するための手段】
【０００４】
上記課題は、下記（１）〜（６）の構成の本考案によるヘッター付きプラスチック宅配袋により解決される。
（１）  プラスチック張り合わせフィルムを折り畳み、熱溶着により背貼シールと底シールを設けて形成された袋本体、およびプラスチック製ラミネート紙で形成され、前記袋本体の頂部に下方部分で貼着され、袋本体から突出した上方部分の片面に超強力粘着材層が施され、この超強力粘着材の上に剥離紙が貼着されたヘッターシールを備えていることを特徴とするヘッター付きプラスチック宅配袋。
（２）  ４角柱シールタイプのものである上記（１）のヘッター付きプラスチック宅配袋。
（３）  センターシールタイプのものである上記（１）のヘッター付きプラスチック宅配袋。
（４）  両側部にマチを有する上記（１）〜（３）のいずれかのヘッター付きプラスチック宅配袋。
（５）  前記袋本体の上部に横方向に延び、袋本体を密閉するジッパーを備えた上記（１）〜（４）のいずれかのヘッター付きプラスチック宅配袋。
（６）  前記袋本体の下部に舟底シールが設けられた上記（１）〜（５）のヘッター付きプラスチック宅配袋。
なお、本明細書においては、宅配袋とは、郵便等に用いられる封筒も含むものとする。
【考案の効果】
【０００５】
本考案のヘッター付きプラスチック宅配袋においては、袋本体をプラスチック張り合わせフィルムの所定箇所を熱溶着することにより形成しているので、内部に重量物を入れても、底抜けをすることがほとんどなく、また水濡れに対しても極めて強硬である。
また、ヘッターシールを上記のような構成としたので、これを用いて袋本体上部を閉じたときには、内部に雨水等が侵入しにくく、したがって、内容物を水分から守ることができる。
【考案を実施するための最良の形態】
【０００６】
以下、添付図面を参照しつつ、本考案の好ましい実施例によるヘッター付きプラスチック宅配袋の一例について説明する。
図１に示された本考案の実施例によるヘッター付きプラスチック宅配袋１０は、１枚の矩形のプラスチック張り合わせフィルムＦを折り畳み、所定箇所に熱溶着によりシールを施して形成された袋本体１２、およびプラスチック製ラミネート紙で形成され、片面に超強力粘着材が施され、この超強力粘着材の下部部分で前記袋本体の頂部に貼着され、上部部分には剥離紙が貼着されたヘッターシール３０を備えている。
【０００７】
上記袋本体を形成するプラスチック張り合わせフィルムは、例えば、２軸延伸ポリプロピレンフィルム／アルミ蒸着ポリエステルフィルム／リニア低密度ポリエチレンフィルム等の構造を有していることが好ましい。
【０００８】
上記ヘッターシールを形成するプラスチック製ラミネート紙は、ユポにポリプロピレンコーティングをしたもの等が好ましい。
これらの材質は、用途、デザイン、仕様等により、種々のものを選択することができる。
【０００９】
上記超強力粘着材としては、例えば、アクリル系溶剤を使用した粘着材を使用することが好ましい。なお、一般の粘着材は、水性溶剤使用したタイプのものである。
【００１０】
本宅配袋１０は、袋本体１２が、少なくとも図２に詳細に示した背貼りシール１４と底シール１６を有している。これらのシールは、プラスチック同士を熱溶着することにより行われる。
【００１１】
本宅配袋１０は、図示したように４角柱シールタイプのものが好ましいが、通常の封筒のようなセンターシールタイプのものであってもよい。
また、嵩張る内容物を入れやすくするため、袋本体の両側にマチ１８を設けたり、底部に舟底シール２０を設けたりすることが好ましい。
さらには、袋本体１２内部を密閉するため、袋本体の上部に横方向に延びるジッパー（図示せず）を設けても良い。このジッパーは、プラスチック袋等に付いている通常のジッパーであってよいのでこれ以上の説明は省略する。
上記ヘッターシール３０は、図３に示したように、ヘッターシール本体３２を備え、該ヘッターシール本体の上方部分に、超強力粘着材層３４を備えており、該超強力粘着材層３４の上に剥離紙３６が貼られている。
【００１２】
次に、図４以降を参照して、図１に示した構造の宅配袋１０の製造方法について説明する。なお、通常の製造においては、センターシール機やガゼットジッパー付きセンターシール機、および三方シール機等により、ロールシートからワンラインにて完成に至るまで行うが、以下の説明では、説明の簡単のため、１枚の矩形のプラスチック張り合わせフィルムを折り畳んで製造するものとして説明する。
（１）図４に示したように、１枚の矩形（例えば、長さ３７ｃｍ、幅７２ｃｍ）プラスチック張り合わせフィルムを準備する。
（２）次に、図５に示したように、上記プラスチック張り合わせフィルムを、その長さ方向の中央部で折り畳む。
（３）この後、折り畳んで形成された２片を、図６に示したように、両側部分をプレートで押し込み折り畳み両マチ部分を形成する。ここで、突き合った２つの側縁部を熱溶着し、図２に示した背貼りシール１４を形成する。
（４）次いで、図７に示したように、４隅部を５ｍｍ程度の幅で熱溶着によりシールする。
（５）次いで、図８に示したように、底部分をポイント４０で熱溶着し、マチの内側をとめる。
（６）この後、図９に示したように、底を熱溶着して、底シール１６を形成するとともに、袋に内容物が入ったときの形を保つように、両サイドを逆ハの字状に熱溶着して舟底シール２０を形成する。
次いで、余分な背貼りを切り落とす。
（７）次に、袋本体の頂部にヘッターシールを貼着する超強力粘着材を塗布する。
（８）最後に、上記超粘着材を用いてヘッターシールを袋本体に貼着し、図１に示した形態の完成品とする。
【図面の簡単な説明】
【００１３】
【図１】本考案の実施例によるヘッター付きプラスチック宅配袋の一例を示す斜視図である。
【図２】図１の線Ａ−Ａに沿う断面図である。
【図３】図１の線Ｂ−Ｂに沿う断面図である。
【図４】図１〜図３に示したヘッター付きプラスチック宅配袋の製造方法の第一段階（プラスチック張り合わせフィルムの準備）を示す図である。
【図５】図１〜図３に示したヘッター付きプラスチック宅配袋の製造方法の第二段階（折り畳み工程）を示す図である。
【図６】図１〜図３に示したヘッター付きプラスチック宅配袋の製造方法の第三段階（マチ形成工程）を示す図である。
【図７】図１〜図３に示したヘッター付きプラスチック宅配袋の製造方法の第四段階（４隅熱溶着工程）を示す図である。
【図８】図１〜図３に示したヘッター付きプラスチック宅配袋の製造方法の第五段階（マチとめ工程）を示す図である。
【図９】図１〜図３に示した自立形容器の製造方法の第六段階（底部熱溶着工程）を示す図である。
【符号の説明】
【００１４】
１０  ヘッター付きプラスチック宅配袋
１２  プラスチック張り合わせフィルム
１４  背貼りシール
１６  底シール
１８  マチ
２０  舟底シール
３０  ヘッターシール
３２  ヘッターシール本体
３４  超強力粘着材
３４  剥離紙
【図１】
0003105735.tif 000003
【図２】
0003105735.tif 000004
【図３】
0003105735.tif 000005
【図４】
0003105735.tif 000006
【図５】
0003105735.tif 000007
【図６】
0003105735.tif 000008
【図７】
0003105735.tif 000009
【図８】
0003105735.tif 000010
【図９】
0003105735.tif 000011